(57)【要約】【課題】  オプション装置を本体装置から外したときにオプション装置単体の座りがよくて位置決め部材の損傷を防止でき，オプション装置の梱包箱を小さくして物流コストを節約する。【解決手段】  本体装置の上部から略垂直方向に装着するオプション装置において、オプション装置に取り付けられた本体装置との位置決め、締結を行う位置決め部材が着脱可能またはオプション装置内に収納可能な構成とする。【選択図】  図１
2006154618.tif 000002
【特許請求の範囲】
【請求項１】
像形成部やシート搬送部などを有する画像形成装置本体と、画像形成装置本体に位置決め挿入する為の複数の嵌合部材を有して画像形成装置の上部から略垂直方向に装着されて嵌合部材が画像形成装置本体内に嵌合支持される後付け周辺装置において、
嵌合部材が後付け周辺装置に着脱可能なことを特徴とする後付け周辺装置。
【請求項２】
像形成部やシート搬送部などを有する画像形成装置本体と、画像形成装置本体に位置決め挿入する為の複数の嵌合部材を有して画像形成装置の上部から略垂直方向に装着されて嵌合部材が画像形成装置本体内に嵌合支持される後付け周辺装置において、
嵌合部材が後付け周辺装置に対して折りたたみ可能なことを特徴とする後付け周辺装置。
【請求項３】
像形成部やシート搬送部などを有する画像形成装置本体と、画像形成装置本体に位置決め挿入する為の複数の嵌合部材を有して画像形成装置の上部から略垂直方向に装着されて嵌合部材が画像形成装置本体内に嵌合支持される後付け周辺装置において、
嵌合部材が後付け周辺装置に収納可能なことを特徴とする後付け周辺装置。
【発明の詳細な説明】
【技術分野】
【０００１】
本発明は画像読み取り装置などの後付け周辺装置が着脱可能な画像形成装置に関するものである。特に後付け周辺装置を画像形成装置の上部に載置するとき、後付け周辺装置の底面に設けられた嵌合部材が画像形成装置枠体に嵌合することで位置決めされる後付け周辺装置の嵌合部材の構成に関するものである。
【背景技術】
【０００２】
従来、後付け周辺装置を画像形成装置の上部から搭載する構成の装置では、後付け周辺装置の底面に設けられた嵌合部材が画像形成装置の上部から画像形成装置に挿入されて、画像形成装置内に設けられた嵌合部に嵌合することで位置決めされている。
【０００３】
又、別の従来例としては、例えば特許文献１と特許文献２をあげることが出来る。
【特許文献１】特開平10-243138号公報
【特許文献２】特開2004-151181号公報
【発明の開示】
【発明が解決しようとする課題】
【０００４】
上記従来例では後付け周辺装置の嵌合部材は後付け周辺装置の下面に固定されているため、取り外された後付け周辺装置を単体で外して置いて置く場合、嵌合部材が邪魔になり、座りが悪く安定しない。また、装置の重量が重い場合には嵌合部材を曲げたり折ったり破損させる恐れがある。さらに後付け周辺装置の嵌合部材を収めるために大きい梱包箱が必要になり物流コストが高くなる欠点があった。
【課題を解決するための手段】
【０００５】
画像形成装置の上方から差し込んで画像形成装置内に嵌合される後付け周辺装置の嵌合部材が着脱可能な構成とする。または、後付け周辺装置内に収納可能な構成とする。
【発明の効果】
【０００６】
以上説明したように、画像形成装置の上方から差し込んで画像形成装置内に嵌合される後付け周辺装置の嵌合部材が着脱可能な構成とする、または、後付け周辺装置内に収納可能な構成とすることで、取り外された後付け周辺装置を単体で外して置いて置く場合、嵌合部材が邪魔にならなくなり、嵌合部材を曲げたり折ったり破損させる恐れがなくなる。さらに梱包箱の大きさが嵌合部材を外した状態の後付け周辺装置を収納する大きさで十分になり、物流コストが下げられる効果がある。
【発明を実施するための最良の形態】
【０００７】
（第１の実施例）
実施例を１、２、３に示す。図２は画像形成装置であるプリンタMに後付け周辺装置である画像読み取り装置100を搭載した状態を示す実施例の断面図、図３は図２の左断面図である。
【０００８】
画像形成装置本体M内には、レーザースキャナ15、感光ドラム14と、図示しない一次帯電器と図示しない現像器を含む印字プロセスユニット16、転写ローラ17、定着器Ｔ、搬送ローラ対18,19,20,21,22,23、給紙カセット24,25と給紙ローラ（ピックアップローラ）26、分離搬送ローラ対27等が設置されている。
【０００９】
給紙カセット24内に積載収納されたシート状の記録材（以下、単に「シート材」という）Ｓは、反時計方向に回転する給紙ローラ26により給送され、シート材ガイド28に導かれて搬送ローラ対20,21,22へ送られる。
【００１０】
次いで、シート材Ｓは搬送ローラ対23によって感光ドラム14と転写ローラ17との間に送られる。
【００１１】
感光ドラム14は時計方向に回転しており、一次帯電器で均一に帯電されている。そして、その外周面には、レーザースキャナ15からのレーザー光により静電潜像が順次形成され、続いてその静電潜像が現像器で現像され、トナー像が形成される。
【００１２】
感光ドラム14と転写ローラ17との間に送られたシート材には、感光ドラム14上のトナー像が転写ローラ17により順次転写される。
【００１３】
このようにしてトナー像が転写されたシート材Ｓは定着器Ｔへ送られ、ここで加熱、加圧されてトナー像がシート材Ｓに定着する。
【００１４】
定着器は内部にヒーター5を持つ定着ローラ1と定着ローラに圧接される加圧ローラ2を有しており定着ローラ1と加圧ローラ2の接触部（ニップ）にシート材Ｓを通過させシート材とシート材上のトナー像に熱と圧を加えてシート材にトナー像を定着させる。分離爪29は定着ローラ軸方向に複数設けられていてエッジになっている一端部が定着ローラに接するように図示しない弾性体で圧接されており、分離爪先端が定着ローラに巻き付いたシート材の先端に突き当たり、シート材先端部を定着ローラから引き離す。定着ローラから引き離されたシートは排紙ガイド10に沿って定着排紙ローラ4に搬送される。
【００１５】
この後、シート材Ｓは定着排紙ローラ対4により第1排紙ローラ対11へ送られ、次いで第2排紙ローラ対12によりプリンタ本体上面のシート材排紙トレイ13上に排紙される。
【００１６】
画像読み取り装置100には断面が円形の垂直方向に長い位置決めピン101、102が設けられている。画像読み取り装置の位置決めピン101,102は画像形成装置の上方から画像形成装置枠体を構成する側板29、30の水平部に差し込まれる。側板に設けられる水平部は側板上部の29a、30aと側板中部の29b、30bの2個所で位置決めピンと嵌合する円形の穴が設けられている。位置決めピン101、102はそれぞれ2箇所で嵌合して、画像読み取り装置の位置決めを行うと同時に側板29,30の撓みを防止する。
【００１７】
位置決めピン101,102の画像読み取り装置100との取り付け部101a,102aにはネジ部が設けられていては画像読み取り装置100に設けられたタップ100aにネジ嵌合される。画像読取装置が画像形成装置から取り外されているときは位置決めピン101,102は画像読み取り装置から取り外されている。
【００１８】
（第２の実施例）
嵌合部材が折りたたみ可能な例を図４に示す。
【００１９】
嵌合部材103は画像読み取り装置100の下部に取り付けられて軸104を中心にして回動可能である。
【００２０】
実線で描かれた嵌合部材103(a)は画像読み取り装置100を画像形成装置から取り外したときにたたまれた状態であり、画像形成装置に装着するときは嵌合部材を回動させて一点差線(103(b))の位置にする。
【００２１】
（第３の実施例）
嵌合部材が折りたたみ可能な例を図６に示す。
【００２２】
嵌合部材105,106は画像読み取り装置100の下部に取り付けられて軸107,108を中心にして回動可能である。
【００２３】
実線で描かれた嵌合部材105(a)、106(a)は画像読み取り装置100を画像形成装置から取り外したときにたたまれた状態であり、画像形成装置に装着するときは嵌合部材を回動させて一点差線（105(b),106(b)）の位置にする。
【００２４】
（第４の実施例）
嵌合部材が画像読み取り装置に収納可能な例を図5示す。
【００２５】
嵌合部材109,110は画像読み取り装置100の下方向にスライド可能である。
【００２６】
嵌合部材109(a)、110(a)は画像読み取り装置100を画像形成装置から取り外したときに画像形成装置に収納された状態であり、画像形成装置に装着するときは嵌合部材の取っ手109(c)を矢印111,112,113の順番に移動させることで一点差線（109(b),110(b)）の位置にする。
【図面の簡単な説明】
【００２７】
【図１】本発明を示す実施例。
【図２】画像形成装置に後付け周辺装置である画像読み取り装置を装着したときの断面図。
【図３】図２の90度角度を変えたときの概略断面図。
【図４】第２の実施例を示す概略図。
【図５】第２の実施例を示す概略図。
【図６】第３の実施例を示す概略図。
【符号の説明】
【００２８】
M  画像形成装置
29  画像形成装置側板
29(a)  画像形成装置側板  上部水平部
29(b)  画像形成装置側板  中部水平部
30  画像形成装置側板
30(a)  画像形成装置側板  上部水平部
30(b)  画像形成装置側板  中部水平部
31  上ステイ
32  下ステイ
100  画像読み取り装置
101、102  画像読み取り装置  嵌合部材(着脱形式)
103  画像読み取り装置  嵌合部材(折りたたみ形式)
104,105  画像読み取り装置  嵌合部材(折りたたみ形式)
109,110  画像読み取り装置  嵌合部材(スライド収納形式)
【図１】
2006154618.tif 000003
【図２】
2006154618.tif 000004
【図３】
2006154618.tif 000005
【図４】
2006154618.tif 000006
【図５】
2006154618.tif 000007
【図６】
2006154618.tif 000008